(57)【要約】【課題】カートリッジの取り出し作業にかかる手間を軽減できる技術を提供する。【解決手段】原水を改質するための長尺状のカートリッジ１２であって、カートリッジ１２の長手方向の一方側部分に設けられ、原水改質装置のカートリッジ拘束部８２に対する長手方向の他方側に遠ざかる方向での相対移動がカートリッジ拘束部８２により拘束される被拘束部８４を備える。被拘束部８４は、カートリッジ拘束部８２に対して、長手方向と交差する方向に脱着自在に構成されてもよい。【選択図】図７
2019209237.tif 000002
【特許請求の範囲】
【請求項１】
原水改質装置に用いられる原水を改質するための長尺状のカートリッジであって、
本カートリッジの長手方向の一方側部分に設けられ、前記原水改質装置のカートリッジ拘束部に対する前記長手方向の他方側に遠ざかる方向での相対移動が前記カートリッジ拘束部により拘束される被拘束部を備えるカートリッジ。
【請求項２】
前記被拘束部は、前記カートリッジ拘束部に対して、前記長手方向と交差する方向に脱着自在に構成される請求項１に記載のカートリッジ。
【請求項３】
前記被拘束部は、前記カートリッジ拘束部に対して、前記長手方向に脱着自在に構成される請求項１または２に記載のカートリッジ。
【請求項４】
前記被拘束部は、前記カートリッジ拘束部の一部が引っ掛かることによって、前記長手方向に拘束される請求項１から３のいずれかに記載のカートリッジ。
【請求項５】
本カートリッジの長手方向の他方側部分に設けられ、前記原水改質装置のカートリッジ受け部と水密的に接続されるカートリッジ側接続部を備え、
前記被拘束部は、前記カートリッジ側接続部とは本カートリッジの長手方向の反対側にある前記一方側部分に設けられる請求項１から４のいずれかに記載のカートリッジ。
【請求項６】
前記原水改質装置は、
本カートリッジを出入口を通して出し入れ可能なカートリッジ収容室が設けられる装置本体と、
前記装置本体に着脱可能に取り付けられ、前記出入口から外側に向かう方向での本カートリッジの動きを規制する規制体と、を備え、
前記装置本体及び前記規制体は、互いに取り外すときに前記長手方向に相対移動するように設けられ、
前記被拘束部は、前記規制体に設けられる前記カートリッジ拘束部に対して前記長手方向の他方側に遠ざかる方向での相対移動が前記カートリッジ拘束部により拘束される請求項１から５のいずれかに記載のカートリッジ。
【請求項７】
請求項１から６のいずれかに記載のカートリッジを出入口を通して出し入れ可能なカートリッジ収容室が設けられる装置本体と、
前記装置本体に着脱可能に取り付けられ、前記出入口から外側に向かう方向での前記カートリッジの動きを規制する規制体と、を備え、
前記装置本体及び前記規制体は、互いに取り外すときに前記長手方向に相対移動するように設けられ、
前記規制体は、前記カートリッジを前記長手方向に拘束するカートリッジ拘束部を有する原水改質装置。
【請求項８】
前記装置本体を支持するとともに前記規制体が接続される本体ベースを備え、
前記カートリッジ拘束部は、前記本体ベースに接続された状態の前記規制体から前記装置本体を分離したとき、前記カートリッジを支持している請求項７に記載の原水改質装置。
【発明の詳細な説明】
【技術分野】
【０００１】
本発明は、原水改質装置に用いられるカートリッジ及びこれを用いた原水改質装置に関する。
【背景技術】
【０００２】
特許文献１には、カートリッジ収容室が設けられた吐水ヘッドのグリップ部と、そのグリップ部に着脱可能に取り付けられる頭部とを備える吐水装置が記載されている。カートリッジ収容室には、原水を改質するためのカートリッジを出入口を通して出し入れ可能である。頭部には、カートリッジ収容室の出入口から外側に向かう方向での動きを規制する連絡管が一体化されている。
【先行技術文献】
【特許文献】
【０００３】
【特許文献１】特開２００２−３５６８９１号公報
【発明の概要】
【発明が解決しようとする課題】
【０００４】
特許文献１の吐水装置では、吐水ヘッドのグリップ部から頭部を取り外したとき、グリップ部のカートリッジ収容室内にカートリッジが残ったままとなる。よって、カートリッジ収容室からカートリッジを取り出す作業が別に必要になるという問題がある。
【０００５】
この問題は、吐水装置にカートリッジを組み込む場合に限らない。詳しくは、原水改質装置にカートリッジを組み込む場合に共通する問題であり、その改善が望まれる。
【０００６】
本発明のある態様は、このような課題に鑑みてなされ、その目的の１つは、カートリッジの取り出し作業にかかる手間を軽減できる技術を提供することにある。
【課題を解決するための手段】
【０００７】
前述の課題を解決するための本発明の第１態様はカートリッジである。第１態様のカートリッジは、原水改質装置に用いられる原水を改質するための長尺状のカートリッジであって、本カートリッジの長手方向の一方側部分に設けられ、前記原水改質装置のカートリッジ拘束部に対する前記長手方向の他方側に遠ざかる方向での本カートリッジの相対移動が前記カートリッジ拘束部により拘束される被拘束部を備える。
【０００８】
第１態様によれば、原水改質装置の他の部位から、原水改質装置のカートリッジ拘束部を備える部位をカートリッジの長手方向での相対移動を伴い分離するとき、そのカートリッジ拘束部によって、原水改質装置の内部からカートリッジを取り出せる。このため、原水改質装置のカートリッジ拘束部を備える部位の、原水改質装置の他の部位からの取り外し作業と、カートリッジ取り出し作業を同時に行うことができ、カートリッジの取り出し作業にかかる手間を軽減できる。
【図面の簡単な説明】
【０００９】
【図１】第１実施形態の原水改質装置の斜視図である。
【図２】第１実施形態の原水改質装置の部分断面側面図である。
【図３】第１実施形態の原水改質装置のカートリッジを交換している途中の状態を示す図である。
【図４】第１実施形態の原水改質装置の設置状態を示す平面図である。
【図５】第１実施形態の原水改質装置の内部に形成される一部の水路に関する説明図である。
【図６】第１実施形態の装置本体に関する分解図である。
【図７】図２の規制体周りの拡大図である。
【図８】第１実施形態の規制体のカートリッジ拘束部を斜め下側から見た図である。
【図９】図７のＡ−Ａ線断面図である。
【図１０】第１実施形態の規制体に装置本体を取り付けようとする状態を示す図である。
【図１１】図２の一部の拡大図である。
【図１２】カートリッジ未収容状態にあるときの機構保持部を示す図である。
【図１３】第１実施形態の装置本体及び規制体を相対的に移動させている途中の状態を示す図である。
【図１４】図２の一部の拡大図である。
【図１５】第１実施形態の操作体を操作している途中の状態を示す図である。
【図１６】第２実施形態の原水改質装置の一部を示す図である。
【発明を実施するための形態】
【００１０】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。本明細書での「接触」とは、特に明示がない限り、言及している二者が直接的に接触する場合の他に、他の部材を介して間接的に接触する場合も含む。
【００１１】
（第１の実施の形態）
図１は、第１実施形態の原水改質装置１０の斜視図である。図２は、原水改質装置１０の部分断面側面図である。図３は、原水改質装置１０のカートリッジ１２を交換している途中の状態を示す図である。
【００１２】
原水改質装置１０は、出入口１４ａを通してカートリッジ１２を出し入れ可能なカートリッジ収容室１４が設けられる装置本体１６と、装置本体１６に着脱可能に取り付けられる規制体１８と、装置本体１６を支持する本体ベース２０と、を備える。原水改質装置１０は、ユーザにより操作される操作部材２２と、操作部材２２に対する操作を通じて装置本体１６に送り込まれる水の流量や温度を調整可能な弁ユニット２４と、を備える水栓装置でもある。
【００１３】
本実施形態の装置本体１６は、吐水部２６から水を吐き出し可能な吐水ヘッドでもある。本実施形態の規制体１８は、本体ベース２０に装置本体１６を接続する継手部材でもある。装置本体１６及び規制体１８は互いに脱着可能に取り付けられる。装置本体１６及び規制体１８は、カートリッジ収容室１４の出入口１４ａからカートリッジ１２を取り出すときに互いに取り外される。装置本体１６及び規制体１８は、互いに取り外すときに互いに遠ざかる方向に相対移動するように設けられる。以下、このように装置本体１６及び規制体１８が相対移動する方向をＸ方向（第１方向）という。また、Ｘ方向の方向軸線を中心とする円の円周方向、半径方向を単に「周方向」、「径方向」という。
【００１４】
以下、原水改質装置１０の概要を説明してから、その主な工夫点を説明する。
【００１５】
図４は、原水改質装置１０の設置状態を示す平面図である。本体ベース２０は、装置本体１６を支持する。本体ベース２０は、たとえば、流し台、洗面キャビネット等の基体２８に設置される。本実施形態の基体２８は、正面側（図４の下側）に居るユーザの作業に用いられるカウンター３０と、カウンター３０に一体化されたシンク３２とを有する。シンク３２は、装置本体１６の吐水部２６から吐き出される水を受けるための槽部３２ａを有する。
【００１６】
図５は、原水改質装置１０の内部に形成される一部の水路に関する説明図である。原水改質装置１０は、吐水部２６に水を供給するための給水路４０を備える。給水路４０は、複数の上流側水路４２Ａ、４２Ｂと複数の下流側水路４４Ａ、４４Ｂとを有する。上流側水路４２Ａ、４２Ｂには、弁ユニット２４により流量や温度が調整された原水が供給される。下流側水路４４Ａ、４４Ｂには上流側水路４２Ａ、４２Ｂから水が送られる。
【００１７】
複数の上流側水路４２Ａ、４２Ｂには、カートリッジ１２を経由せずに下流側水路４４Ａ、４４Ｂに原水を送るための原水水路４２Ａと、カートリッジ１２を経由して下流側水路４４Ａ、４４Ｂに改質水を送るための改質水水路４２Ｂとが含まれる。複数の下流側水路４４Ａ、４４Ｂには、吐水部２６からストレート吐水で水を吐き出すためのストレート用水路４４Ａと、吐水部２６からシャワー吐水で水を吐き出すためのシャワー用水路４４Ｂとが含まれる。
【００１８】
原水改質装置１０は、複数の上流側水路４２Ａ、４２Ｂのいずれかと、複数の下流側水路４４Ａ、４４Ｂのいずれかとに通水経路を切り替え可能な弁機構４６を備える。本実施形態の弁機構４６は切替弁である。
【００１９】
原水改質装置１０は、ユーザにより操作されることで弁機構４６を作動させる複数の操作体４８、５０を備える。操作体４８、５０には、複数の上流側水路４２Ａ、４２Ｂのいずれかを通水経路に切り替えるように弁機構４６を作動させる押しボタン４８と、複数の下流側水路４４Ａ、４４Ｂのいずれかを通水経路に切り替えるように弁機構４６を作動させる回転ハンドル５０が含まれる。
【００２０】
図６は、装置本体１６に関する分解図である。装置本体１６は、ハウジング５２と、内部アセンブリ５４と、吐水部材５６と、を備える。
【００２１】
ハウジング５２は、第１筒状部５２ａと、第１筒状部５２ａの外周部から突出する第２筒状部５２ｂとを有する。第１筒状部５２ａは、基端部から先端部までの範囲で継ぎ目なく連続するように形成される。第２筒状部５２ｂは、根本部から先端部までの範囲で継ぎ目なく連続するように形成される。ハウジング５２の第１筒状部５２ａの基端部から第２筒状部５２ｂの根本部までの範囲は、ユーザにより把持される吐水ヘッドのグリップ部５２ｃを構成する。本実施形態のカートリッジ収容室１４はグリップ部５２ｃの内側に設けられる。
【００２２】
内部アセンブリ５４は、ハウジング５２の第１筒状部５２ａに挿通される。本実施形態の内部アセンブリ５４は複数の内部部品を組み合わせて構成されるが、単数の内部部品により構成されてもよい。吐水部材５６は、ハウジング５２の第２筒状部５２ｂに先端側から差し込まれ、内部アセンブリ５４に接続される。吐水部材５６には吐水部２６が設けられる。
【００２３】
本実施形態のカートリッジ収容室１４は、内部アセンブリ５４の内側に設けられる。カートリッジ収容室１４の出入口１４ａは、本体ベース２０側にある装置本体１６の基端部１６ａに形成される。詳しくは、出入口１４ａは、内部アセンブリ５４の基端部に形成される。
【００２４】
カートリッジ１２は、原水を改質して改質水を生成するためのものである。本明細書での「改質」とは、物理変化や化学変化を経て、特定の成分を原水から除去又は原水に付与することをいう。
【００２５】
図２に示すように、カートリッジ収容室１４の内周面とカートリッジ１２の外周面との間には、原水水路４２Ａの一部となる第１外部水路５８が形成される。第１外部水路５８は、カートリッジ１２の改質部６８（後述する）を通してカートリッジ１２の内部に水を送り込むためのものである。
【００２６】
本実施形態のカートリッジ１２は長尺状である。本実施形態でのカートリッジ１２の長手方向はＸ方向である。以下、この長手方向をＸ方向を用いて説明する。本実施形態のカートリッジ１２は、Ｘ方向の全長に亘る範囲がカートリッジ収容室１４内に収容される。カートリッジ１２は、出入口１４ａより奥側に収まるようにカートリッジ収容室１４に収容されることになる。
【００２７】
図２、図６に示すように、本実施形態のカートリッジ１２は、長尺状のカートリッジ本体６０と、カートリッジ本体６０の両端部に取り付けられるエンドキャップ６２，６４とを備える。エンドキャップ６２、６４には、Ｘ方向において出入口１４ａ側（以下、単に入口側という）にあるの第１エンドキャップ６２と、Ｘ方向において出入口１４ａとは反対側（以下、単に奥側という）にある第２エンドキャップ６４とが含まれる。
【００２８】
カートリッジ本体６０は、その内部に設けられるとともに改質水水路４２Ｂの一部となる第１内部水路６６と、第１外部水路５８と第１内部水路６６の間に設けられる改質部６８と、を有する。改質部６８は、第１外部水路５８から第１内部水路６６に水を通すことができ、改質材により原水を改質することで改質水を生成可能である。本実施形態の改質部６８は、複数の不織布等の透水膜間に改質材を収容して構成される。改質材は、たとえば、活性炭、炭酸カルシウム等である。
【００２９】
図７は、図２の規制体１８周りの拡大図である。図２、図７に示すように、本体ベース２０は、基体２８に支持されるベース本体７０と、ベース本体７０に固定される本体ガイド７２とを備える。本実施形態のベース本体７０は、筒状の胴部７０ａと、胴部７０ａの外周部から突き出るとともにベース孔７０ｃが形成される筒状部７０ｂとを有する。前述の操作部材２２は胴部７０ａの先端部に設けられ、弁ユニット２４は胴部７０ａに内蔵される。本体ガイド７２は、ベース本体７０のベース孔７０ｃに先端側から差し込まれるとともに留め具によりベース本体７０に固定される。
【００３０】
本体ガイド７２は、給水ホース７４を引き出し可能なホース挿通孔７２ａと、装置本体１６が規制体１８を介して接続される本体接続部７２ｂとを有する。給水ホース７４は可とう性を持つ素材を用いて構成される。
【００３１】
規制体１８は、出入口１４ａから外側に向かう方向（図７の右下方向）でのカートリッジ１２の動きを規制する。ここでの「外側に向かう方向」とは、出入口１４ａからＸ方向において装置本体１６から遠ざかる方向をいう。
【００３２】
装置本体１６及び規制体１８は、不図示の取付構造とロック部材７６の組み合わせによって、互いに着脱可能に取り付けられる。取付構造は、たとえば、凸部と凹部を組み合わせた嵌合構造である。本実施形態の規制体１８は、カートリッジ収容室１４内に出入口１４ａを通して差し込まれている。本実施形態の規制体１８は、このような出入口１４ａの開閉を伴い装置本体１６に着脱可能に取り付けられる。
【００３３】
規制体１８は、全体として有底筒状をなす。規制体１８には、その内側に配置されるホース継手７８を介して給水ホース７４が接続される。規制体１８の内側には本体ベース２０の本体接続部７２ｂが差し込まれる。本体接続部７２ｂは、装置本体１６がＸ方向に沿って動くように装置本体１６をガイド可能である。
【００３４】
本実施形態の規制体１８は、装置本体１６を本体ベース２０に脱着自在に接続する。装置本体１６は、本体ベース２０の本体接続部７２ｂによるガイドを伴いＸ方向に沿って動かされることで、本体ベース２０に対して脱着する。本体ベース２０から装置本体１６を取り外すとき、本体ベース２０のホース挿通孔７２ａから給水ホース７４が引き出される。一方、本体ベース２０に装置本体１６を取り付けるとき、ホース挿通孔７２ａに給水ホース７４が押し戻される。
【００３５】
ロック部材７６は、ユーザの操作によって、装置本体１６に対する規制体１８のロックの有無を切り替え可能である。装置本体１６及び規制体１８は、ロック部材７６によるロックを解除したときに着脱自在となる。
【００３６】
カートリッジ収容室１４を形成する内壁面と規制体１８との間には第１シール部材８０が配置される。第１シール部材８０はＯリング等の弾性体であり、カートリッジ収容室１４と規制体１８の間をシールする。
【００３７】
（第１の工夫点）
ここで、本実施形態の規制体１８は、図２、図７に示すように、カートリッジ１２を拘束するカートリッジ拘束部８２を有する。本実施形態のカートリッジ１２は、カートリッジ１２の長手方向の一方側部分となる入口側部分１２ｃに設けられ、原水改質装置１０のカートリッジ拘束部８２により拘束される被拘束部８４を備える。カートリッジ１２の被拘束部８４は、原水改質装置１０のカートリッジ拘束部８２に対するＸ方向の他方側となる奥側（図２の左上側）に遠ざかる方向での相対移動がカートリッジ拘束部８２により拘束される。詳しく説明する。
【００３８】
図８は、規制体１８のカートリッジ拘束部８２を斜め下側から見た図である。図９は、図７のＡ−Ａ線断面図である。図７〜図９に示すように、規制体１８のカートリッジ拘束部８２は、カートリッジ１２とＸ方向に対向する位置に設けられる。本実施形態のカートリッジ拘束部８２は、規制体１８の奥側端面部からＸ方向に突き出る突起部８２ａと、突起部８２ａから突き出る爪部８２ｂとを有する。本実施形態のカートリッジ拘束部８２は、カートリッジ１２の被拘束部８４を取り囲むようにＵ字状に延びている。本実施形態のカートリッジ拘束部８２は、上向きに開放する開放口８２ｃが形成される溝部を構成する。
【００３９】
カートリッジ１２は、図２に示すように、Ｘ方向の他方側部分となる奥側部分１２ｄに設けられるカートリッジ側接続部１１６を備える。カートリッジ側接続部１１６は、原水改質装置１０のカートリッジ受け部１１４（詳細は後述する）と第３シール部材１１８を介して水密的に接続される。カートリッジ１２の被拘束部８４は、カートリッジ側接続部１１６とはＸ方向の反対側にあるカートリッジ１２の入口側部分１２ｃに設けられる。このカートリッジ１２の入口側部分１２ｃは、原水改質装置１０と水密的に接続されていない。
【００４０】
図７、図９に示すように、カートリッジ１２の被拘束部８４は、本実施形態において、カートリッジ１２の入口側端部にある第１エンドキャップ６２に設けられる。本実施形態の第１エンドキャップ６２は全体として有底筒状をなし、被拘束部８４は第１エンドキャップ６２の入口側部分に設けられる。本実施形態の被拘束部８４は、第１エンドキャップ６２の入口側端面部からＸ方向に突き出る凸部８４ａと、凸部８４ａの入口側端部から径方向外側に張り出す爪受け部８４ｂとを有する。本実施形態の爪受け部８４ｂは環状に連続している。
【００４１】
爪部８２ｂは、カートリッジ１２の爪受け部８４ｂの裏側に配置され、その爪受け部８４ｂに裏側から引っ掛けられる。ここでの「裏側」とは、第１エンドキャップ６２の爪受け部８４ｂに対してＸ方向で規制体１８から離れる側（図７の左上側）をいう。これにより、被拘束部８４は、規制体１８の一部となるカートリッジ拘束部８２が引っ掛かることによって、Ｘ方向に拘束される。カートリッジ拘束部８２は、被拘束部８４に引っ掛かることによって、被拘束部８４をＸ方向に拘束しているともいえる。このとき、カートリッジ１２及び規制体１８のＸ方向で互いに遠ざかる方向での相対移動が拘束される。
【００４２】
図３に示すように、装置本体１６は、本体ベース２０に接続された状態の規制体１８から分離可能である。規制体１８のカートリッジ拘束部８２は、本体ベース２０に接続された状態の規制体１８から装置本体１６を分離したとき、カートリッジ１２の被拘束部８４を支持している。本実施形態のカートリッジ拘束部８２は、被拘束部８４を下側から支持している。カートリッジ拘束部８２は、カートリッジ１２の他方側端部となる奥側端部１２ａを自由端、その一方側端部となる入口側端部１２ｂを固定端として、カートリッジ１２を片持ち支持している。このとき、カートリッジ拘束部８２は、カートリッジ１２の奥側端部１２ａが下向きに動くようなカートリッジ１２の傾きを規制している。これは、本実施形態において、カートリッジ拘束部８２により被拘束部８４を支持しつつ、カートリッジ拘束部８２の爪部８２ｂを被拘束部８４の爪受け部８４ｂに引っ掛けることで実現される。
【００４３】
以上の工夫点の効果を説明する。カートリッジ１２は、原水改質装置１０のカートリッジ拘束部８２により被拘束部８４が拘束されることによって、そのカートリッジ拘束部８２とＸ方向に一体的に動かせる。よって、原水改質装置１０の他の部位から、原水改質装置１０のカートリッジ拘束部８２を備える部位をＸ方向での相対移動を伴い分離するとき、そのカートリッジ拘束部８２によって原水改質装置１０の内部からカートリッジ１２を取り出せる。本実施形態において、ここでの「他の部位」とは装置本体１６をいい、「カートリッジ拘束部８２を備える部位」とは規制体１８をいう。これらを前述の相対移動を伴い分離するとき、カートリッジ１２は、装置本体１６のカートリッジ収容室１４の出入口１４ａから取り出すことになる（図３参照）。このため、原水改質装置１０のカートリッジ拘束部８２を備える部位の、原水改質装置１０の他の部位からの取り外し作業と、カートリッジ１２の取り出し作業を同時に行うことができ、カートリッジ１２の取り出し作業にかかる手間を軽減できる。
【００４４】
かりに、カートリッジ収容室１４内に残ったままのカートリッジ１２を手等で掴んで取り出す場合を考える。この場合、水垢の付着等に起因してカートリッジ収容室１４内に残ったカートリッジ１２を取り出すときの抵抗が大きくなるケースがある。このケースでは、手等で掴んだカートリッジ１２が滑りやすく、カートリッジ１２をカートリッジ収容室１４から取り出し難くなる。
【００４５】
本実施形態によれば、濡れていない装置本体１６及び規制体１８の少なくとも一方をしっかりと掴んだ状態で動かすことで、カートリッジ１２をカートリッジ収容室１４から取り出せる。よって、前述の問題を避けてカートリッジ１２を取り出せるようになり、カートリッジ１２の取り出し作業の容易化を図れる。
【００４６】
カートリッジ拘束部８２は、カートリッジ１２を支持している。よって、本体ベース２０に接続された状態の規制体１８から装置本体１６を分離するとき、装置本体１６がなくとも、カートリッジ拘束部８２によってカートリッジ１２を支持した状態を維持できる。このため、規制体１８から装置本体１６を分離するときに、自重で下向きに動かないようにカートリッジ１２を支える手間を軽減できる。
【００４７】
本工夫点に関連する他の特徴を説明する。図７〜図９を参照する。本実施形態のカートリッジ拘束部８２は、カートリッジ１２の被拘束部８４に対してＸ方向に直交する水平方向Ｙ（以下、Ｙ方向という）の両側に位置するとともに、その被拘束部８４に対して下方に位置する。これにより、カートリッジ拘束部８２は、カートリッジ１２のＹ方向や下方向での動きを拘束する。
【００４８】
カートリッジ１２の被拘束部８４は、カートリッジ拘束部８２の開放口８２ｃを通してカートリッジ拘束部８２の内側から方向Ｐａに出し入れ可能である。被拘束部８４は、Ｘ方向と直交する上方向での動きが許容されていることになる。被拘束部８４は、カートリッジ拘束部８２の開放口８２ｃを通るように上向きに動かすことで、カートリッジ拘束部８２から取り外せる。また、被拘束部８４は、カートリッジ拘束部８２の開放口８２ｃを通るように下向きに動かすことで、カートリッジ拘束部８２により拘束されるようにカートリッジ拘束部８２に取り付けられる。
【００４９】
このように被拘束部８４は、原水改質装置１０のカートリッジ拘束部８２に対して、Ｘ方向と交差する方向に脱着自在に構成される。被拘束部８４には、カートリッジ拘束部８２に対してＸ方向と交差する方向に脱着するとき、その動きを妨げることで脱着不能にする部位がないということである。カートリッジ拘束部８２は、カートリッジ１２を、Ｘ方向と交差する方向に脱着自在に構成されるとも捉えられる。
【００５０】
これにより、カートリッジ１２及びカートリッジ拘束部８２をＸ方向と交差する方向に相対移動させることで、カートリッジ１２及びカートリッジ拘束部８２を容易に脱着できる。
【００５１】
被拘束部８４は、原水改質装置１０のカートリッジ拘束部８２に対して、Ｘ方向に脱着自在に構成される。被拘束部８４には、カートリッジ拘束部８２に対してＸ方向に脱着するとき、その動きを妨げることで脱着不能にする部位がないということである。本実施形態では、カートリッジ拘束部８２及び被拘束部８４の少なくとも一方の弾性変形を伴い脱着自在である。詳しくは、カートリッジ拘束部８２の径方向外側に広がるような弾性変形や、被拘束部８４の径方向内側に縮まるような弾性変形を伴い脱着自在である。カートリッジ拘束部８２によりカートリッジ１２が拘束された状態のもと、カートリッジ拘束部８２からＸ方向にカートリッジ１２を取り外すうえでは、カートリッジ１２及び規制体１８をＸ方向に強い力を入れて相対移動させることになる。カートリッジ拘束部８２及び被拘束部８４のＸ方向での脱着に要する力は、カートリッジ拘束部８２及び被拘束部８４のＸ方向と交差する方向での脱着に要する力より大きくなるように設定されることになる。
【００５２】
これにより、カートリッジ１２及びカートリッジ拘束部８２をＸ方向に相対移動させることで、カートリッジ１２及びカートリッジ拘束部８２を容易に脱着できる。これによる他の利点を説明する。
【００５３】
図１０は、カートリッジ収容室１４にカートリッジ１２を収容したまま、本体ベース２０に接続された規制体１８に装置本体１６を取り付けようとする状態を示す。装置本体１６及び規制体１８は、互いに取り付けるときに、Ｘ方向において互いに近づく方向Ｐｂに相対的に移動するように設けられる。このとき、装置本体１６を規制体１８に取り付けるため、カートリッジ１２及び規制体１８もＸ方向で互いに近づける方向Ｐｂに相対的に動かすことになる。
【００５４】
本実施形態によれば、このようなカートリッジ１２及び規制体１８の動きを用いて、カートリッジ１２の被拘束部８４を規制体１８のカートリッジ拘束部８２に取り付けることができる。よって、装置本体１６の規制体１８への取り付け作業と併せて、カートリッジ１２の規制体１８への取り付け作業をできる。
【００５５】
図７に示すように、本実施形態のカートリッジ拘束部８２は、カートリッジ１２及び規制体１８をＸ方向の相対移動により取り付け易くするため、爪部８２ｂの奥側部分に形成されるガイド面８２ｄを有する。ガイド面８２ｄは、カートリッジ１２からＸ方向で遠ざかる方向に向かうにつれて、カートリッジ１２の被拘束部８４に径方向に近づくように形成される。
【００５６】
これにより、カートリッジ１２の被拘束部８４がガイド面８２ｄに当たった状態で、カートリッジ１２及び規制体１８をＸ方向で近づく方向Ｐｂ（図１０参照）に相対移動させることで、カートリッジ拘束部８２や被拘束部８４が弾性変形し易くなる。これに伴い、カートリッジ拘束部８２に被拘束部８４を取り付け易くなる。
【００５７】
（第２の工夫点）
原水改質装置１０の他の工夫点を説明する。図１１は、図２の一部の拡大図である。原水改質装置１０は、カートリッジ収容室１４内に収容されるカートリッジ１２が脱着自在に接続される水路形成部材１００を備える。水路形成部材１００は、装置本体１６の内部に配置される。詳しくは、装置本体１６の内部にはカートリッジ収容室１４より奥側に有底孔状の奥側収容室１０２が設けられる。水路形成部材１００は、この奥側収容室１０２に収容される。
【００５８】
水路形成部材１００は、カートリッジ１２側に設けられる本体部材１０４と、本体部材１０４を間に挟んでカートリッジ１２とは反対側に設けられる第２シール部材１０６とを有する。第２シール部材１０６はゴム等の弾性体が構成しており、本体部材１０４は第２シール部材１０６より硬質な樹脂等が構成している。第２シール部材１０６は、後述する固定弁体１１２に着座することで、本体部材１０４と固定弁体１１２の間をシールする。
【００５９】
水路形成部材１００には、カートリッジ１２の第１内部水路６６に連通されるとともに改質水水路４２Ｂ（図５参照）の一部となる第２内部水路１０８が形成される。本図では第２内部水路１０８が通る経路の一部に矢印を付して示す。第２内部水路１０８は、本体部材１０４の内部に形成されるとともに、第２シール部材１０６に貫通孔として形成される。水路形成部材１００の外部には、装置本体１６との間に原水水路４２Ａ（図５参照）の一部となる第２外部水路１１０が形成される。第２外部水路１１０は前述の第１外部水路５８に連通する。
【００６０】
水路形成部材１００は弁機構４６を構成する回転弁体である。本実施形態の水路形成部材１００はＸ方向の方向軸周りに回転可能である。弁機構４６は、奥側収容室１０２の奥壁面が構成する固定弁体１１２を備える。固定弁体１１２には、図示はしないが、複数の下流側水路４４Ａ、４４Ｂの入口が開口している。本図では、下流側水路４４Ａが通る経路の一部のみに矢印を付して示す。水路形成部材１００は、自らが回転することによって、複数の上流側水路４２Ａ、４２Ｂと複数の下流側水路４４Ａ、４４Ｂの連通状態を切り替え可能である。弁機構４６は、このような連通状態の切り替えによって、前述のように通水経路を切り替え可能である。
【００６１】
水路形成部材１００は、カートリッジ１２を接続するためのカートリッジ受け部１１４を有する。カートリッジ受け部１１４は、本体部材１０４の入口側端部に設けられる。
【００６２】
カートリッジ１２の第２エンドキャップ６４は、カートリッジ本体６０の端部を受ける有底筒状の本体受け部６０ａと、本体受け部６０ａの外周部より小径の小径部６０ｂと、小径部６０ｂより奥側にて第２エンドキャップ６４の外周部に設けられる段差部６０ｃとを有する。本体受け部６０ａの外周部には径方向外側に突き出るリブ部６０ｄが形成される。
【００６３】
カートリッジ１２の第２エンドキャップ６４は、水路形成部材１００のカートリッジ受け部１１４に脱着自在に接続されるカートリッジ側接続部１１６を有する。本実施形態において、カートリッジ受け部１１４に対するカートリッジ側接続部１１６の脱着方向ＰｃはＸ方向である。カートリッジ側接続部１１６は、カートリッジ１２の長手方向Ｘの奥側部分１２ｄの一部となる奥側端部１２ａに設けられる。カートリッジ側接続部１１６は、筒状をなしており、その内側には第１内部水路６６の一部が形成される。
【００６４】
カートリッジ側接続部１１６及びカートリッジ受け部１１４の一方は他方の内側に差し込まれる。カートリッジ側接続部１１６は、カートリッジ受け部１１４との間に配置される第３シール部材１１８を介して水密的に接続される。本実施形態の第３シール部材１１８はカートリッジ受け部１１４に形成されるシール溝に装着されているが、カートリッジ側接続部１１６に形成されるシール溝に装着されていてもよい。
【００６５】
ここで、本実施形態の原水改質装置１０は、次の付勢機構１２０を備えている。付勢機構１２０は、付勢部材１２２と、第１受け部材１２４と、第２受け部材１２６と、スリップワッシャ１２８と、を有する。
【００６６】
付勢部材１２２は、Ｘ方向においてカートリッジ１２と水路形成部材１００との間に配置される。付勢部材１２２は、コイルスプリング等のバネ部材により例示される弾性体である。本実施形態の付勢部材１２２は、第１受け部材１２４を介してカートリッジ１２を出入口１４ａ側（図１１の右側）に向けて付勢可能である。また、本実施形態の付勢部材１２２は、第２受け部材１２６を介して水路形成部材１００を奥側に向けて付勢可能である。付勢部材１２２は、自らのＸ方向での弾性的な縮み変形に起因する弾性反発力によって、このように付勢可能である。
【００６７】
第１受け部材１２４は、Ｘ方向において付勢部材１２２とカートリッジ１２との間に配置される。第１受け部材１２４は、付勢部材１２２の入口側端部１２２ａを支持する。第１受け部材１２４は、第１筒状部１２４ａと、第１筒状部１２４ａから径方向外側に突き出る第１フランジ部１２４ｂとを有する。付勢部材１２２の入口側端部１２２ａは、第１筒状部１２４ａの外周側に配置され、第１フランジ部１２４ｂに対して奥側に配置される。
【００６８】
第１受け部材１２４の内周側にはカートリッジ１２の一部となるカートリッジ側接続部１１６が差し込まれる。第１受け部材１２４は、カートリッジ１２に当てられる当て面１２４ｄを有する。本実施形態の当て面１２４ｄは環状をなすとともに平坦状をなしており、カートリッジ１２の段差部６０ｃに当てられる。
【００６９】
第２受け部材１２６は、Ｘ方向において付勢部材１２２と水路形成部材１００との間に配置される。第２受け部材１２６は、付勢部材１２２の奥側端部１２２ｂを支持する。第２受け部材１２６は、第２筒状部１２６ａと、第２筒状部１２６ａから径方向外側に突き出る第２フランジ部１２６ｂとを有する。付勢部材１２２の奥側端部１２２ｂは、第２筒状部１２６ａの外周側に配置され、第２フランジ部１２６ｂに対して入口側に配置される。
【００７０】
第２受け部材１２６の内周側には水路形成部材１００の一部が嵌め込まれ、水路形成部材１００に対して径方向に第２受け部材１２６が位置決めされる。
【００７１】
スリップワッシャ１２８は、Ｘ方向において第２受け部材１２６と水路形成部材１００との間に配置される。第２受け部材１２６は、付勢部材１２２の付勢力によって水路形成部材１００に直接に押し当てられず、スリップワッシャ１２８を介して押し当てられる。スリップワッシャ１２８は、摩擦抵抗の小さい樹脂等の素材を用いて構成される。水路形成部材１００は、スリップワッシャ１２８に対する滑り接触を伴い回転する。これにより、スリップワッシャーは、付勢機構１２０の構成部品と水路形成部材１００との共周りを防止する。
【００７２】
原水改質装置１０は、装置本体１６の内部に付勢機構１２０を保持する機構保持部１３０を備える。本実施形態の機構保持部１３０は装置本体１６の内部に設けられる。機構保持部１３０は、ガイド部１３０ａと、規制部１３０ｂとを有する。
【００７３】
本実施形態のガイド部１３０ａは装置本体１６の内部にてＸ方向に貫通する貫通孔が構成する。第１受け部材１２４は、ガイド部１３０ａの内側に嵌め込まれ、機構保持部１３０に対して径方向に位置決めされる。第１受け部材１２４は、ガイド部１３０ａとの接触を伴いＸ方向に沿って動くように、ガイド部１３０ａによってガイドされる。規制部１３０ｂは、第１受け部材１２４と接触することによって、ガイド部１３０ａより入口側に向かう第１受け部材１２４の動きを規制する。
【００７４】
図１２は、カートリッジ収容室１４内にカートリッジ１２が収容されていない状態（以下、カートリッジ未収容状態という）にあるときの機構保持部１３０を示す図である。機構保持部１３０は、カートリッジ未収容状態にあるとき、機構保持部１３０の規制部１３０ｂにより付勢機構１２０の動きを規制することで、装置本体１６の内部に付勢機構１２０を保持する。以下、機構保持部１３０により保持されるときの付勢機構１２０の位置を保持位置という。本実施形態では、付勢機構１２０が保持位置にあるとき、付勢部材１２２の付勢力によって、機構保持部１３０の規制部１３０ｂに第１受け部材１２４が当たった状態が維持される。
【００７５】
なお、ガイド部１３０ａの内側には第２外部水路１１０の一部が形成される。ガイド部１３０ａや規制部１３０ｂには第１外部水路５８と第２外部水路１１０を連通する連通孔１３２が形成される。
【００７６】
図２、図１１に戻る。以上の付勢機構１２０は、付勢部材１２２によって、出入口１４ａ側に向けてカートリッジ収容室１４内のカートリッジ１２を付勢する。これは、出入口１４ａより奥側から出入口１４ａ側に向けて付勢するということである。本実施形態の付勢機構１２０は、カートリッジ収容室１４にカートリッジ１２が収容されている状態（以下、カートリッジ収容状態という）にあるとき、常時、カートリッジ１２を付勢する。付勢機構１２０は、水路形成部材１００からカートリッジ１２が離脱する方向Ｐｄにカートリッジ１２を付勢することで、出入口１４ａ側に向けてカートリッジ１２を付勢する。
【００７７】
付勢機構１２０は、Ｘ方向において出入口１４ａより奥側に向かう方向に水路形成部材１００を付勢する。水路形成部材１００は、付勢機構１２０の付勢力によって奥側収容室１０２の奥壁面に押し当てられ、Ｘ方向での位置が保持される。
【００７８】
付勢機構１２０は、カートリッジ１２を押圧することでカートリッジ１２を付勢する。本実施形態の付勢機構１２０は、カートリッジ１２の奥側端部１２ａを押圧する。よって、カートリッジ１２を引っ張ることで付勢する場合と比べ、カートリッジ１２の構成部品同士の分離を避け易くなる。
【００７９】
次に、原水改質装置１０のカートリッジ１２を交換する手順を説明する。図１３は、カートリッジ収容状態から、装置本体１６及び規制体１８（不図示）を互いに取り外すため、これらを互いに遠ざかる方向に相対的に移動させている途中の状態を示す図である。本実施形態では、本体ベース２０に接続された規制体１８から装置本体１６をＸ方向で遠ざかる方向Ｐｅ（図３も参照）に動かすことで、その規制体１８から装置本体１６を取り外す。
【００８０】
このとき、付勢機構１２０によって、カートリッジ収容室１４内のカートリッジ１２を出入口１４ａ側（図１３の右側）に向けて動かせる。これにより、出入口１４ａからカートリッジ１２を取り出し易くなり、その取り出し作業の容易化を図れる。
【００８１】
次に、カートリッジ未収容状態にあるときを考える。このとき、図１２に示すように、機構保持部１３０によって、付勢機構１２０は保持位置に保持される。この状態でカートリッジ収容室１４内に出入口１４ａから奥側に向けてカートリッジ１２を押し込む。保持位置にある第１受け部材１２４にカートリッジ１２が接触するまで押し込むと、それ以降は、付勢部材１２２の付勢力に抗してカートリッジ１２が押し込まれる。カートリッジ収容室１４内で配置されるべき位置までカートリッジ１２を押し込んだら、装置本体１６に規制体１８を取り付けることで、カートリッジ１２の交換が完了する。なお、本実施形態では、本体ベース２０に接続された規制体１８に装置本体１６をＸ方向で近づく方向Ｐｆ（図３も参照）に動かすことで、その規制体１８に装置本体１６を取り付ける。
【００８２】
以上の工夫点の効果を説明する。
【００８３】
付勢機構１２０は、水路形成部材１００からカートリッジ１２が離脱する方向Ｐｄ（図１１参照）にカートリッジ１２を付勢する。水路形成部材１００とカートリッジ１２の接続箇所は、異物の噛み込み、第３シール部材１１８の固着等によって、分離し難くなるケースがある。このケースにおいても、付勢機構１２０によって、水路形成部材１００とカートリッジ１２を分離し易くできる。
【００８４】
特に、出入口１４ａより奥側に収まるようにカートリッジ収容室１４にカートリッジ１２が収容される構造のもとでは、出入口１４ａから奥まった箇所に配置されるカートリッジ１２を取り出し難くなる。このような構造のもとでも、付勢機構１２０によって、出入口１４ａからカートリッジ１２を取り出し易くなる。
【００８５】
原水改質装置１０は、カートリッジ未収容状態にあるとき、装置本体１６の内部に付勢機構１２０を保持する機構保持部１３０を有する。よって、カートリッジ未収容状態にあるとき、機構保持部１３０によって、装置本体１６の出入口１４ａを通して付勢機構１２０の構成部品が抜け出てしまうのを防げる。
【００８６】
本工夫点に関連する他の特徴を説明する。カートリッジ１２のカートリッジ側接続部１１６及び水路形成部材１００のカートリッジ受け部１１４は、水路形成部材１００に対するカートリッジ１２の脱着方向Ｐｃに相対的に移動可能である。これは、カートリッジ未収容状態にあるときのみではなく、カートリッジ収容状態にあるときにも満たされる。
【００８７】
これにより、カートリッジ収容状態にあるとき、カートリッジ側接続部１１６及びカートリッジ受け部１１４の間に配置される第３シール部材１１８の固着対策を図れる。この第３シール部材１１８の固着は、カートリッジ側接続部１１６及びカートリッジ受け部１１４のうち、第３シール部材１１８が装着されていない部材との間で生じる。ここでの「第３シール部材１１８が装着されていない部材」とは、本実施形態ではカートリッジ側接続部１１６をいう。この固着対策は、カートリッジ側接続部１１６及びカートリッジ受け部１１４をＸ方向に相対移動させて、第３シール部材１１８が装着されていない部材から第３シール部材１１８を剥がすことによって実現される。
【００８８】
図１４は、図２の一部の拡大図である。図１５は、操作体４８を操作している途中の状態を示す図である。操作体４８は、ユーザによる押圧操作を受ける押しボタンであり、次に説明するように、原水改質装置１０の動作状態を変更するために操作される。操作体４８は、装置本体１６の内部アセンブリ５４のＸ方向の端部に取り付けられ、内部アセンブリ５４にＸ方向に移動可能に支持される。
【００８９】
原水改質装置１０は、操作体４８の動きに連動して弁機構４６を作動させることが可能な連動機構１３４を備える。本実施形態の連動機構１３４には、操作体４８を押圧方向とは反対側に付勢するスプリングやスラストロック機構が組み込まれる。
【００９０】
操作体４８は、操作を受けると連動機構１３４を介して弁機構４６を作動させる。弁機構４６の回転弁体を構成する水路形成部材１００は、操作体４８が操作を受ける毎に、連動機構１３４によって、Ｘ方向において入口側に向かう方向に移動してから回転するように作動する。
【００９１】
このとき、カートリッジ１２及び水路形成部材１００は、操作体４８に対する操作に連動して、前述の脱着方向Ｐｃに互いに相対的に移動する。本実施形態では、操作体４８に連動して、カートリッジ１２のカートリッジ側接続部１１６に対して水路形成部材１００のカートリッジ受け部１１４がＸ方向に移動する。カートリッジ側接続部１１６及びカートリッジ受け部１１４の一方は、操作体４８に連動して移動する前後で、それらの他方の内側に差し込まれた状態が維持される。カートリッジ側接続部１１６及びカートリッジ受け部１１４は、操作体４８に対する操作を解除すると、付勢機構１２０の付勢力によって、その操作前のＸ方向での相対位置（図１４の相対位置）に復帰するように移動させられる。
【００９２】
本実施形態の弁機構４６は、このように水路形成部材１００が回転することによって、複数の上流側水路４２Ａ、４２Ｂのいずれかに通水経路を切り替える。操作体４８は、操作を受ける毎に、複数の上流側水路４２Ａ、４２Ｂのいずれかに通水経路を切り替えるように弁機構４６を作動させることになる。これにより、操作体４８は、装置本体１６から吐き出される水が浄水と改質水との間で切り替わるように、装置本体１６の動作状態を切り替える。
【００９３】
操作体４８は、このように操作されるとき、付勢機構１２０が付与する付勢力に抗して移動する。本実施形態の操作体４８は、付勢機構１２０の付勢力に抗して、Ｘ方向において出入口１４ａ側に向かう方向に移動する。操作体４８に対する操作を解除すると、付勢機構１２０の付勢力によって、その移動前のＸ方向での位置（図１４の位置）に復帰するように移動させられる。
【００９４】
以上のように、カートリッジ１２及び水路形成部材１００は、操作体４８に対する操作に連動して脱着方向Ｐｃに相対的に移動可能である。よって、操作体４８に対する操作を通じて第３シール部材１１８の固着対策を図れる。特に、操作体４８により原水改質装置１０の動作状態を変更するタイミングで第３シール部材１１８の固着対策を図れる。
【００９５】
図１１に示すようなカートリッジ収容状態にあるときの付勢部材１２２の弾性変形量を第１変形量Ｘ１といい、図１２に示すようなカートリッジ未収容状態にあるときの付勢部材１２２の弾性変形量を第２変形量Ｘ２という。第２変形量Ｘ２は零でもよい。つまり、カートリッジ未収容状態にあるとき、付勢部材１２２は自然長の状態にあってもよい。
【００９６】
本実施形態の付勢機構１２０は、第１変形量Ｘ１より第２変形量Ｘ２が小さくなるように構成される。これにより、原水改質装置１０は、カートリッジ未収容状態にあるとき、カートリッジ収容状態にあるときより、付勢機構１２０が操作体４８に付与する付勢力が小さくなるように構成される。
【００９７】
（Ａ）これにより、カートリッジ未収容状態にあるとき、カートリッジ収容状態にあるときより、操作体４８に付与すべき操作荷重を小さくでき、操作体４８の操作感を軽くできる。
【００９８】
図７を参照する。装置本体１６が規制体１８を介して本体ベース２０に接続された状態にあるとき、装置本体１６は、規制体１８を覆っている。この条件は、本体ベース２０の本体接続部７２ｂによるガイドを伴い装置本体１６をＸ方向に沿って動かすうえで、装置本体１６を可動範囲の本体ベース２０側の末端位置に配置したときに満たされていればよい。本実施形態の装置本体１６は、規制体１８のＸ方向の全長に亘る範囲で規制体１８を覆っている。また、本実施形態の装置本体１６は、規制体１８を全周に亘る範囲で径方向外側から覆っている。
【００９９】
装置本体１６と規制体１８の間には全周に亘る範囲で連続する継ぎ目１３６が形成される。本実施形態では内部アセンブリ５４と規制体１８の間に継ぎ目１３６が形成される。装置本体１６は、このような継ぎ目１３６が露出しないように、規制体１８を覆っていればよい。装置本体１６の外面に開口する孔を通して規制体１８が視認可能であってもよいということである。ここでの「孔」とは、たとえば、ハウジング５２に形成されるとともにロック部材７６の一部が内側に配置される孔１３８をいう。
【０１００】
（Ｂ）これにより、カートリッジ１２を取り出すときに装置本体１６から取り外される規制体１８と装置本体１６との継ぎ目１３６が、原水改質装置１０の外観に目立つように現れなくなる。これに伴い、原水改質装置１０の外観がすっきりとなり、良好な意匠性を得られる。
【０１０１】
（第２の実施の形態）
図１６は、第２実施形態の原水改質装置１０の一部を示す図である。図１１の例と比べて第１受け部材１２４の構成が相違する。本実施形態の第１受け部材１２４は、第１筒状部１２４ａや第１フランジ部１２４ｂの入口側側面から入口側に突き出る複数の突起部１２４ｃを有する。複数の突起部１２４ｃは周方向に間を置いて設けられる。図１１の例では第１受け部材１２４の当て面１２４ｄは環状をなす例を説明した。第１受け部材１２４の当て面１２４ｄは、複数の突起部１２４ｃの入口側側面に設けられる。このように、第１受け部材１２４の当て面１２４ｄの位置は特に限定されない。
【０１０２】
以上、実施形態をもとに本発明を説明した。次に、各構成要素の変形例を説明する。
【０１０３】
原水改質装置１０は、装置本体１６に吐水部２６が設けられたスパウトインタイプを例に説明したが、アンダーシンクタイプ、据え置きタイプ、蛇口直結タイプでもよい。いずれにしても、出入口１４ａを通してカートリッジ１２を出し入れ可能なカートリッジ収容室１４が設けられる装置本体１６を備えていればよい。また、スパウトインタイプの原水改質装置１０の場合、操作部材２２や弁ユニット２４を備えていなくともよい。
【０１０４】
装置本体１６は、本体ベース２０を介して基体２８に支持される例を説明したが、基体２８に直接に支持されていてもよい。これは、たとえば、アンダーシンクタイプ、据え置きタイプの原水改質装置１０を想定している。
【０１０５】
カートリッジ１２の原水の改質態様として、原水の浄化を例に説明したが、これに限定されない。たとえば、美容成分、臭い成分、炭酸成分、水素成分の付与等でもよい。
【０１０６】
カートリッジ１２は、装置本体１６のカートリッジ収容室１４にＸ方向の少なくとも一部に亘る範囲が収容されていればよい。カートリッジ１２は、装置本体１６の出入口１４ａから外側にはみ出るように設けられていてもよいということである。カートリッジ１２は、たとえば、カートリッジ収容室１４にＸ方向の半分以上の範囲が収容され、その他の箇所を規制体１８や本体ベース２０に収容してもよい。本体ベース２０に一部を収容する場合、装置本体１６を規制体１８から取り外したとき、その本体ベース２０によってカートリッジ１２を支持しつつ、カートリッジ１２の一部を露出させることができる。このカートリッジ１２の露出箇所を用いてカートリッジ１２の交換を容易にできる。
【０１０７】
規制体１８は、継手部材を例に説明したが、その具体例は特に限定されない。たとえば、吐水ヘッドを互いに別体のグリップ部と頭部により構成し、グリップ部を装置本体１６、頭部を規制体１８としてもよい。装置本体１６が吐水部２６を備えない場合、規制体１８は出入口１４ａを塞ぐ蓋体でもよい。
【０１０８】
規制体１８は、装置本体１６を本体ベース２０に脱着自在に接続していなくともよい。実施形態では本体ベース２０から給水ホース７４を引き出し可能な例を説明したが、給水ホース７４を引き出し可能ではなくともよいということである。
【０１０９】
装置本体１６及び規制体１８を互いに脱着可能に取り付けるための具体的手段は特に限定されない。たとえば、このような具体的手段としては、クリップ等の留め具、ねじ構造等を用いてもよい。
【０１１０】
（第１の工夫点に関して）
原水改質装置１０のカートリッジ拘束部８２は、カートリッジ１２をＸ方向に拘束していればよく、支持していなくともよい。
【０１１１】
カートリッジ拘束部８２によるカートリッジ１２の拘束態様は特に限定されない。たとえば、カートリッジの被拘束部８４に爪部８２ｂを引っ掛ける他にも、凹凸嵌合、圧入、マグネット等によって実現されてもよい。
【０１１２】
カートリッジ１２の被拘束部８４は、カートリッジ拘束部８２に対して脱着自在に構成されていなくともよい。これは、たとえば、カートリッジ１２と規制体１８が脱着不能に構成されており、カートリッジ１２の交換と併せて規制体１８を交換するような場合を想定している。
【０１１３】
カートリッジ１２の被拘束部８４は、カートリッジ拘束部８２に対して、Ｘ方向と交差する方向またはＸ方向の何れかにのみ脱着自在に構成されていてもよい。また、ここでの「Ｘ方向と交差する方向」として、Ｘ方向と直交する上方向を例に説明したが、Ｙ方向、下方向でもよい。
【０１１４】
カートリッジ１２の被拘束部８４は、カートリッジ１２の一方側端部（入口側端部１２ｂ）に設けられる例を説明したが、その長手方向の一方側部分（入口側部分１２ｃ）に設けられていればよい。また、カートリッジ１２のカートリッジ側接続部１１６は、カートリッジ１２の他方側端部（奥側端部１２ａ）に設けられる例を説明したが、その長手方向の他方側部分（奥側部分１２ｄ）に設けられていればよい。
【０１１５】
第１の工夫点で説明した構成を採用するうえで、原水改質装置１０は付勢機構１２０を備えていなくともよい。
【０１１６】
（第２の工夫点に関して）
付勢機構１２０はカートリッジ１２を付勢できればよく、その具体例は特に限定されない。たとえば、ゴム体により構成される付勢部材１２２のみを備えていてもよいし、付勢部材１２２がバネ部材である場合に受け部材１２４、１２６を備えてなくともよい。
【０１１７】
付勢機構１２０による付勢力の付与態様は特に限定されない。たとえば、カートリッジ１２を引っ張ることでカートリッジ１２を付勢してもよい。
【０１１８】
カートリッジ１２は、装置本体１６の内部に配置される水路形成部材１００に接続されていなくともよい。これは、たとえば、カートリッジ１２が接続される水路形成部材１００を、装置本体１６ではなく、規制体１８に組み込む場合を想定している。
【０１１９】
効果（Ａ）を得るうえでは、カートリッジ未収容状態にあるとき、カートリッジ収容状態にあるときより、付勢機構１２０が操作体４８に付与する付勢力が小さくなるように構成されていればよい。この条件を満たすうえで、たとえば、カートリッジ未収容状態にあるとき、付勢機構１２０の付勢力を操作体４８に伝達される伝達経路を切断し、カートリッジ収容状態にあるとき、その伝達経路を繋げるクラッチ機構を組み込んでもよい。
【０１２０】
機構保持部１３０は、装置本体１６の内部に付勢機構１２０を保持できればよく、その具体例は特に限定されない。また、機構保持部１３０は、装置本体１６とは別の部材に設けられていてもよい。ここでの「別の部材」とは、たとえば、水路形成部材１００である。
【０１２１】
水路形成部材１００の具体例は特に限定されない。水路形成部材１００は、カートリッジ１２に接続されるカートリッジ受け部１１４を有し、カートリッジ１２の第１内部水路６６に連通される第２内部水路１０８を有していればよい。たとえば、水路形成部材１００は、弁機構４６の構成要素とは別体に設けられてもよい。
【０１２２】
カートリッジ１２のカートリッジ側接続部１１６と水路形成部材１００のカートリッジ受け部１１４は、カートリッジ収容状態にあるとき、Ｘ方向に相対的に移動不能であってもよい。カートリッジ側接続部１１６とカートリッジ受け部１１４をＸ方向に相対的に移動可能とするうえでは、カートリッジ受け部１１４ではなく、カートリッジ側接続部１１６をＸ方向に移動可能としてもよい。
【０１２３】
カートリッジ側接続部１１６とカートリッジ受け部１１４をＸ方向に相対的に移動可能とするために操作される操作体は押しボタンに限定されない。操作体は、たとえば、回転ハンドル５０でもよい。
【０１２４】
操作体による原水改質装置１０の動作状態の変更態様は、特に限定されない。この変更態様は、たとえば、原水改質装置１０の吐水態様の切り替え、原水改質装置１０の吐水部２６から吐き出される水の流量や温度の変更、吐水状態と止水状態の切り替えでもよい。
【０１２５】
（Ｂ）の効果を得るうえでは、装置本体１６が規制体１８を介して本体ベース２０に接続された状態にあるとき、本体ベース２０及び装置本体１６の何れか一方又は両方が、規制体１８を覆っていればよい。たとえば、本体ベース２０が規制体１８の全体を覆っていてもよいし、本体ベース２０及び装置本体１６の両方が規制体１８の全体を覆っていてもよい。いずれの場合でも、装置本体１６と規制体１８の間の継ぎ目１３６が露出しないように規制体１８を覆っていてもよい。
【０１２６】
第２の工夫点で説明した構成を採用するうえで、原水改質装置１０のカートリッジ１２は被拘束部８４を有していなくともよく、規制体１８はカートリッジ拘束部８２を有していなくともよい。
【０１２７】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【０１２８】
以上の実施形態、変形例により具体化される発明を一般化すると、以下の技術的思想が導かれる。以下、発明が解決しようとする課題に記載の態様を用いて説明する。
【０１２９】
第２態様のカートリッジは、第１態様において、前記被拘束部は、前記カートリッジ拘束部に対して、前記長手方向と交差する方向に脱着自在に構成されてもよい。
この態様によれば、カートリッジ及びカートリッジ拘束部を長手方向と交差する方向に相対移動させることで、カートリッジ及びカートリッジ拘束部を容易に脱着できる。
【０１３０】
第３態様のカートリッジは、第１または第２態様において、前記被拘束部は、前記カートリッジ拘束部に対して、前記長手方向に脱着自在に構成されてもよい。
この態様によれば、カートリッジ及びカートリッジ拘束部を長手方向に相対移動させることで、カートリッジ及びカートリッジ拘束部を容易に脱着できる
【０１３１】
第４態様のカートリッジは、第１から第３態様のいずれかにおいて、前記被拘束部は、前記カートリッジ拘束部の一部が引っ掛かることによって、前記長手方向に拘束されてもよい。
【０１３２】
第５態様のカートリッジは、第１から第４態様のいずれかにおいて、本カートリッジの長手方向の他方側部分に設けられ、前記原水改質装置のカートリッジ受け部と水密的に接続されるカートリッジ側接続部を備え、前記被拘束部は、前記カートリッジ側接続部とは本カートリッジの長手方向の反対側にある前記一方側部分に設けられてもよい。
【０１３３】
第６態様のカートリッジは、第１から第５態様のいずれかにおいて、前記原水改質装置は、本カートリッジを出入口を通して出し入れ可能なカートリッジ収容室が設けられる装置本体と、前記装置本体に着脱可能に取り付けられ、前記出入口から外側に向かう方向での本カートリッジの動きを規制する規制体と、を備え、前記装置本体及び前記規制体は、互いに取り外すときに前記長手方向に相対移動するように設けられ、前記被拘束部は、前記規制体に設けられる前記カートリッジ拘束部に対して前記長手方向の他方側に遠ざかる方向での相対移動が前記カートリッジ拘束部により拘束されてもよい。
【０１３４】
第７態様は原水改質装置である。第７態様の原水改質装置は、第１から第６態様に記載のカートリッジを出入口を通して出し入れ可能なカートリッジ収容室が設けられる装置本体と、前記装置本体に着脱可能に取り付けられ、前記出入口から外側に向かう方向での前記カートリッジの動きを規制する規制体と、を備え、前記装置本体及び前記規制体は、互いに取り外すときに前記長手方向に相対移動するように設けられ、前記規制体は、前記カートリッジを前記長手方向に拘束するカートリッジ拘束部を有する。
【０１３５】
第８態様の原水改質装置は、第７態様において、前記装置本体を支持するとともに前記規制体が接続される本体ベースを備え、前記カートリッジ拘束部は、前記本体ベースに接続された状態の前記規制体から前記装置本体を分離したとき、前記カートリッジを支持していてもよい。
この態様によれば、本体ベースに接続された状態の規制体から装置本体を分離するときに、カートリッジを支える手間を軽減できる。
【０１３６】
なお、原水改質装置の発明の権利範囲には、カートリッジが組み込まれていない原水改質装置も含まれる。
【符号の説明】
【０１３７】
１０…原水改質装置、１２…カートリッジ、１２ｃ…一方側部分（入口側部分）、１２ｄ…他方側部分（奥側部分）、１４…カートリッジ収容室、１４ａ…出入口、１６…装置本体、１８…規制体、２０…本体ベース、８２…カートリッジ拘束部、８４…被拘束部、１１４…カートリッジ受け部、１１６…カートリッジ側接続部。
【図１】
2019209237.tif 000003
【図２】
2019209237.tif 000004
【図３】
2019209237.tif 000005
【図４】
2019209237.tif 000006
【図５】
2019209237.tif 000007
【図６】
2019209237.tif 000008
【図７】
2019209237.tif 000009
【図８】
2019209237.tif 000010
【図９】
2019209237.tif 000011
【図１０】
2019209237.tif 000012
【図１１】
2019209237.tif 000013
【図１２】
2019209237.tif 000014
【図１３】
2019209237.tif 000015
【図１４】
2019209237.tif 000016
【図１５】
2019209237.tif 000017
【図１６】
2019209237.tif 000018